(57)【特許請求の範囲】
【請求項１】
手の指全体で握り可能な略円柱状の把持部が設けられ、この把持部の人差し指と中指と薬指と小指の指先腹部が接触する部位に印加電極が取付けられ、親指側の掌腹部が接触する部位に測定電極が取付けられている生体インピーダンス測定用ハンドユニットにおいて、
前記把持部は、左手用の把持部と右手用の把持部とで構成され、少なくとも一方の把持部に前記印加電極と測定電極が取付けられる一方、手首全体を自然に内側に曲げた状態で把持部を把持できるように、前記印加電極取付け部位と測定電極取付け部位とを、互いに周方向に、平面を挟んで所定距離をもたせるように配置して、夫々を湾曲面に形成するとともに、前記印加電極取付け部位と測定電極取付け部位との間の把持部からほぼ真横に延在する平坦突出部が形成され、両把持部の平坦突出部の間が連結部材で連結されているとともに、前記把持部の上面に、親指の指先腹部を置くための親指置き部が形成されていることを特徴とする生体インピーダンス測定用ハンドユニット。
【請求項２】
前記把持部の親指置き部の上面に、親指を置くことを促すマークが施されていることを特徴とする請求項１に記載の生体インピーダンス測定用ハンドユニット。
【請求項３】
前記連結部材は、体脂肪率等を表示する表示部と、身長・体重・性別等を入力する操作部とで構成されて、表示部と操作部は、把持部を把持した使用者の顔面側に配置されてい
ることを特徴とする請求項１または２に記載の生体インピーダンス測定用ハンドユニット。
【発明の詳細な説明】
【技術分野】
【０００１】
本発明は、生体インピーダンス測定用ハンドユニットに関する。
【背景技術】
【０００２】
従来、手の指全体で握り可能な略円柱状のスティック（把持）部が設けられ、この把持部の人差し指と中指と薬指と小指の指先腹部が接触する部位に印加電極が取付けられ、親指側の掌腹部が接触する部位に測定電極が取付けられている体脂肪計がある（特許文献１の図４参照）。
【０００３】
この体脂肪計は、一対の印加電極間に電流を流し、一対の測定電極間の生体インピーダンスを測定し、この生体インピーダンスから体脂肪率等を演算するものである。
【特許文献１】特開２００１−１９０５１２号公報
【発明の開示】
【発明が解決しようとする課題】
【０００４】
しかしながら、特許文献１のスティック部は、両スティック部とともに後方へ湾曲した円弧突出部の間が体脂肪計本体（連結部材）で連結されている構成であったから、手首全体を無理に内側に曲げた状態で、しかも親指を真っ直ぐに伸ばした状態でスティック部を把持しなければならなかったので、親指側の掌腹部が測定電極に不安定に接触したり、親指以外の指の指先腹部が印加電極に不安定に接触したりするおそれがあった。
【０００５】
本発明は、前記問題を解消するためになされたもので、親指側の掌腹部が測定電極に安定に接触するとともに、親指以外の指の指先腹部が印加電極に安定に接触するように工夫した生体インピーダンス測定用ハンドユニットを提供することを目的とするものである。
【課題を解決するための手段】
【０００６】
前記課題を解決するために、本発明は、手の指全体で握り可能な略円柱状の把持部が設けられ、この把持部の人差し指と中指と薬指と小指の指先腹部が接触する部位に印加電極が取付けられ、親指側の掌腹部が接触する部位に測定電極が取付けられている生体インピーダンス測定用ハンドユニットにおいて、前記把持部は、左手用の把持部と右手用の把持部とで構成され、少なくとも一方の把持部に前記印加電極と測定電極が取付けられる一方、手首全体を自然に内側に曲げた状態で把持部を把持できるように、前記印加電極取付け部位と測定電極取付け部位とを、互いに周方向に、平面を挟んで所定距離をもたせるように配置して、夫々を湾曲面に形成するとともに、前記印加電極取付け部位と測定電極取付け部位との間の把持部からほぼ真横に延在する平坦突出部が形成され、両把持部の平坦突出部の間が連結部材で連結されているとともに、前記把持部の上面に、親指の指先腹部を置くための親指置き部が形成されていることを特徴とする生体インピーダンス測定用ハンドユニットを提供するものである。
【０００７】
請求項２のように、前記把持部の親指置き部の上面に、親指を置くことを促すマークが施されていることが好ましい。
【０００８】
請求項３のように、前記連結部材は、体脂肪率等を表示する表示部と、身長・体重・性別等を入力する操作部とで構成されて、表示部と操作部は、把持部を把持した使用者の顔面側に配置されていることが好ましい。
【発明の効果】
【０００９】
本発明によれば、印加電極取付け部位と測定電極取付け部位との間の把持部からほぼ真横に延在する平坦突出部の間が連結部材で連結されているから、手首全体を自然に内側に曲げた状態で把持部を把持できるので、親指側の掌腹部が測定電極に安定に接触するとともに、親指以外の指の指先腹部が印加電極に安定に接触するようになる。加えて、把持部の上面に、親指の指先腹部を置くための親指置き部が形成されているから、この親指置き部に親指を置くことで、把持部をより強く把持できるので、親指側の掌腹部が測定電極により安定に接触するとともに、親指以外の指の指先腹部が印加電極により安定に接触するようになる。
【００１０】
請求項２によれば、把持部の親指置き部の上面にマークを施すことで、親指置き部に親指を置くことを促すことができる。
【００１１】
請求項３によれば、体脂肪率等を表示する表示部と、身長・体重・性別等を入力する操作部とを使用者の顔面側に向けた状態で両把持部の間に設けることで、視認性や操作性が向上するようになる。
【発明を実施するための最良の形態】
【００１２】
以下、本発明を実施するための最良の形態について、図面を参照しながら詳細に説明する。
【００１３】
図１（ａ）は生体インピーダンス測定用ハンドユニット１の正面側斜視図、図１（ｂ）はその背面側斜視図である。図２（ａ）はハンドユニット１の平面図、図２（ｂ）は（ａ）の正面図、図３（ａ）は図２（ｂ）の側面図である。
【００１４】
ハンドユニット１は、横長四角形状に形成されて、両端部分に、左手用の把持部（グリップ）２と右手用の把持部（グリップ）３とをそれぞれ備えるとともに、両把持部２，３の平坦突出部２ａ，３ａの間は、連結部材４で一体的に連結されている。
【００１５】
各把持部２，３は、手の指全体で握り可能な略円柱状に形成されて、各把持部２，３の人差し指と中指と薬指と小指の指先腹部が接触する部位〔図１（ｂ）の全高に亘ってクロスハッチングで示す部位〕に印加電極６が取付けられ、親指側の掌腹部が接触する部位〔図１（ａ）および図２（ｂ）の全高に亘ってクロスハッチングで示す部位〕に測定電極７が取付けられている。
【００１６】
印加電極取付け部位と測定電極取付け部位との間の把持部２，３には、ほぼ真横に延在するように平坦突出部２ａ，３ａが形成されている。
【００１７】
各把持部２，３の上面には、把持部２，３を把持した時に、親指の指先腹部を置くための偏平な親指置き部２ｂ，３ｂが形成されている。
【００１８】
両把持部２，３の平坦突出部２ａ，３ａの間を一体的に連結する連結部材４は、体脂肪率等を表示する液晶ディスプレイ等の表示部４Ａと、身長・体重・性別等を入力する各種スイッチ８が配列された操作部４Ｂとで構成されて、表示部４Ａと操作部４Ｂは、両把持部２，３を把持した使用者の顔面側に配置されている。なお、各種スイッチ８の一部は、平坦突出部２ａ，３ａにも配列することができる。
【００１９】
前記のように生体インピーダンス測定用ハンドユニット１を構成すれば、印加電極取付け部位と測定電極取付け部位との間の把持部２，３からほぼ真横に延在する平坦突出部２ａ，３ａの間が連結部材４で連結されているから、図４のように、手首全体を自然に内側に曲げた状態で把持部２，３を把持できるので、親指側の掌腹部が測定電極７に安定に接触するとともに、親指以外の指の指先腹部が印加電極６に安定に接触するようになる。
【００２０】
加えて、把持部２，３の上面に、親指の指先腹部を置くための親指置き部２ｂ，３ｂが形成されているから、図５のように、この親指置き部２，３に親指を置くことで、把持部２，３をより強く把持できるので、親指側の掌腹部が測定電極７により安定に接触するとともに、親指以外の指の指先腹部が印加電極６により安定に接触するようになる。
【００２１】
また、把持部２，３の平坦突出部２ａ，３ａは、親指の先端が印加電極６に接触することを完全にブロック（阻止）するとともに、親指以外の指の先端が測定電極７に接触することを完全にブロック（阻止）することができる。
【００２２】
さらに、体脂肪率等を表示する表示部４Ａと、身長・体重・性別等を入力する操作部４Ｂとを使用者の顔面側に向けた状態で両把持部２，３の間に設けることで、視認性や操作性が向上するようになる。
【００２３】
また、図３（ｂ）のように、各把持部２，３の親指置き部２ｂ，３ｂの上面に、親指を置くことを促す親指マーク（クロスハッチングで示す。）を施すことで、親指置き部２ｂ，３ｂに親指を置くことを促すことができる。
【００２４】
前記実施形態は、ハンドユニット１自体で体脂肪率等を測定するものであったが、図６に示すように、体重計１２を別に設けて、この体重計１２とハンドユニット１とを電気コード等で電気的に接続することでリンクさせるとともに、体重計１２の前部にハンドユニット１を着脱自在に取付けられるようにしても良い。
【００２５】
そして、この体組成体重計１２に使用者が左右の足を乗せると、その体重がハンドユニット１の表示部４Ａで表示されるようになる。なお、体重計１２がハンドユニット１にリンクしていれば、ハンドユニット１の操作部４Ｂで使用者の体重を入力する必要は無い。
【００２６】
また、体重計１２の左右の足を乗せる部分には、印加電極１３と測定電極１４をそれぞれ設けて、体重計１２から取り外したハンドユニット１の把持部２，３を左右の手で把持した使用者が体重計１２に乗れば、ハンドユニット１側の印加電極６と測定電極７との間で手の生体インピーダンスを測定することと相俟って、体重計１２側の印加電極１３と測定電極１４との間で足の生体インピーダンスを測定することで、体脂肪率等をより正確に測定することができる。なお、体重計１２側でも生体インピーダンスを測定すれば、ハンドユニット１側に印加電極６と測定電極７とを取付けるのは、両把持部２，３のいずれか一方であっても良い。
【図面の簡単な説明】
【００２７】
【図１】本発明の実施形態に係るハンドユニットであり、（ａ）は正面側斜視図、（ｂ）は背面側斜視図である。
【図２】図１のハンドユニットであり、（ａ）は平面図、（ｂ）は正面図である。
【図３】図１のハンドユニットであり、（ａ）は側面図、（ｂ）は親指置き部にマークを施した平面図である。
【図４】ハンドユニットの把持部を両手で把持した状態の斜視図である。
【図５】ハンドユニットの親指置き部に親指を置いた状態の斜視図である。
【図６】体重計とリンクさせたハンドユニットであり、（ａ）は正面図、（ｂ）は斜視図である。
【符号の説明】
【００２８】
１    生体インピーダンス測定用ハンドユニット
２，３  把持部
２ａ，３ａ  平坦突出部
２ｂ，３ｂ  親指置き部
４    連結部材
４Ａ  表示部
４Ｂ  操作部
６    印加電極
７    測定電極
【図１】
0004609463.tif 000002
【図２】
0004609463.tif 000003
【図３】
0004609463.tif 000004
【図４】
0004609463.tif 000005
【図５】
0004609463.tif 000006
【図６】
0004609463.tif 000007